(57)【要約】【課題】釣竿を保冷箱に対して支持させることができるとともに、支持した釣竿に負荷が掛かった状態であっても釣竿を竿受け部から簡単な動作で容易に取り外すことができる釣用竿受け装置の提供を目的とする。【解決手段】本発明の釣用竿受け装置１は、保冷箱の外壁面に着脱可能に取り付けられる取り付け部８と、釣竿２０を受けて支持するための竿受け部６と、取り付け部８と竿受け部６とを連結する連結部２とを備える。竿受け部６は、連結部２に対して回動可能に取り付けられ、釣竿２０を竿受け部６から側方に解放できる解放位置（破線位置）と回動規制手段４によりその回動が規制される竿受け位置（実線位置）との間で少なくとも回動できる。【選択図】図３
2012135275.tif 000002
【特許請求の範囲】
【請求項１】
保冷箱の外壁面に着脱可能に取り付けられることにより釣竿を受けて支持する釣用竿受け装置であって、
保冷箱の外壁面に着脱可能に取り付けられる取り付け部と、
釣竿を受けて支持するための竿受け部と、
前記取り付け部と前記竿受け部とを連結する連結部と、
を備え、
前記竿受け部は、前記連結部に対して回動可能に取り付けられ、釣竿を竿受け部から側方に解放できる解放位置と回動規制手段によりその回動が規制される竿受け位置との間で少なくとも回動できることを特徴とする釣用竿受け装置。
【請求項２】
前記竿受け部で支持される釣竿の側方への移動によって前記回動規制手段が作動されることにより、前記竿受け位置にある前記竿受け部の回動規制が解除されることを特徴とする請求項１に記載の釣用竿受け装置。
【請求項３】
前記連結部を保冷箱の外壁面と略平行に保持すると同時に保冷箱の外壁面に対する前記取り付け部の取り付け状態を保持する保持部を更に備えることを特徴とする請求項１または請求項２に記載の釣用竿受け装置。
【発明の詳細な説明】
【技術分野】
【０００１】
本発明は、釣竿を受けて支持するための釣用竿受け装置に関し、特に保冷箱の外壁面に着脱可能な釣用竿受け装置に関する。
【背景技術】
【０００２】
従来から、クーラーボックスなどの保冷箱に釣竿を受けるための竿受け装置を設けることが既に知られている。例えば、特許文献には、保冷箱の外壁に上下方向の保持孔を形成した保持部を設けるとともに、前記保持孔に支留されて前記保持部に保持される釣竿支持用の竿受け部材によって釣竿の手元側の基部を受け止めることにより、保冷箱をアンカーとして活用して釣竿をオーバーハング状態で支持できるようにした竿受け装置が開示されている。
【０００３】
そのようなタイプの従来の竿受け装置の概念図が図６に示されている。図示のように、特許文献１に開示されるタイプの竿受け装置１００は、前側の竿受け部材１０６の上側に折れ曲がるフック状の受け部１０６ａによって釣竿１０２の基部１０２ａの下面を下側から受け止める（釣竿１０２の基部１０２ａの前部を前側の竿受け部材１０６の受け部１０６ａに載置する）とともに、後側の竿受け部材１０８（一般に、前側の竿受け部材１０６よりも下側に取り付けられる）の下側に折れ曲がるフック状の受け部１０８ａによって釣竿１０２の基部１０２ａの上面を上側から支持する（釣竿１０２の基部１０２ａの後部を後側の竿受け部材１０８の受け部１０８ａに掛止する）ことにより、保冷箱１３０をアンカーとして利用して釣竿１０２をオーバーハング状態で支持することができる。
【先行技術文献】
【特許文献】
【０００４】
【特許文献１】特開平８−２８０３１０号
【発明の概要】
【発明が解決しようとする課題】
【０００５】
しかしながら、従来から知られるこのタイプの竿受け装置１００では、該装置１００によって図６に示されるように釣竿１０２を支持した状態で釣竿１０２の仕掛けに魚が掛かって釣竿１０２の竿先が下方に引き込まれると、竿受け部材１０６，１０８の受け部１０６ａ，１０８ａに釣竿１０２が食い込み、釣竿１０２を受け部１０６ａ，１０８ａから取り外すことが困難になる。すなわち、竿受け部材１０６，１０８の受け部１０６ａ，１０８ａに釣竿１０２が食い込んだ状態で釣竿１０２を受け部１０６ａ，１０８ａから離脱させるためには、魚の引きに抗して比較的大きな力で釣竿１０２を立ち起こし、その起こした状態のまま釣竿１０２をフック状の受け部１０６ａ，１０８ａを乗り越えるように引き出す必要があり、その作業は比較的面倒である。しかも、掛かった魚が左右に泳ぐなどして竿先が左右に振らている状態では素早く受け部１０６ａ，１０８ａから釣竿１０２を外すことは更に困難となり、また、その状態で無理に釣竿１０２を立ち起こしてしまうと、その勢いで、釣糸が切れたり、掛かった魚が仕掛けから外れたりする虞もある。
【０００６】
本発明は、前記事情に着目してなされたものであり、その目的とするところは、釣竿を保冷箱に対して支持させることができるとともに、支持した釣竿に負荷が掛かった状態であっても釣竿を竿受け部から簡単な動作で容易に取り外すことができる釣用竿受け装置を提供することにある。
【課題を解決するための手段】
【０００７】
前記課題を解決するために、請求項１に記載の発明は、保冷箱の外壁面に着脱可能に取り付けられることにより釣竿を受けて支持する釣用竿受け装置であって、保冷箱の外壁面に着脱可能に取り付けられる取り付け部と、釣竿を受けて支持するための竿受け部と、前記取り付け部と前記竿受け部とを連結する連結部とを備え、前記竿受け部は、前記連結部に対して回動可能に取り付けられ、釣竿を竿受け部から側方に解放できる解放位置と回動規制手段によりその回動が規制される竿受け位置との間で少なくとも回動できることを特徴とする。
【０００８】
この請求項１に記載の発明によれば、釣竿を受けて支持するための竿受け部が、釣竿を竿受け部から側方に解放できる解放位置と回動規制手段によりその回動が規制される竿受け位置との間で少なくとも回動できるため、竿受け位置で釣竿を保冷箱に対して確実に支持させることができるとともに、支持した釣竿に負荷が掛かった状態であっても竿受け部を解放位置に回動させることにより釣竿を竿受け部から容易に取り外すことができる。
【０００９】
また、請求項２に記載の発明は、請求項１に記載の発明において、前記竿受け部で支持される釣竿の側方への移動によって前記回動規制手段が作動されることにより、前記竿受け位置にある前記竿受け部の回動規制が解除されることを特徴とする。
【００１０】
この請求項２に記載の発明によれば、請求項１に記載の発明と同様の作用効果が得られるとともに、竿受け部で支持される釣竿を側方へ移動させるという簡単な動作で、回動規制手段による竿受け部の回動規制を解除して、竿受け部を解放位置へと回動させることができる。したがって、竿受け部からの釣竿の取り外し操作を更に容易ならしめることができる。
【００１１】
また、請求項３に記載の発明は、請求項１または請求項２に記載の発明において、前記連結部を保冷箱の外壁面と略平行に保持すると同時に保冷箱の外壁面に対する前記取り付け部の取り付け状態を保持する保持部を更に備えることを特徴とする。
【００１２】
この請求項３に記載の発明によれば、請求項１または請求項２に記載の発明と同様の作用効果が得られるとともに、連結部と取り付け部とを同時に安定した姿勢で保持できる保持部の保持機能により、保冷箱に対して釣竿をガタ付かせることなく確実且つ安定して支持することができる。
【発明の効果】
【００１３】
本発明によれば、釣竿を保冷箱に対して支持させることができるとともに、支持した釣竿に負荷が掛かった状態であっても釣竿を竿受け部から簡単な動作で容易に取り外すことができる釣用竿受け装置を提供することができる。
【図面の簡単な説明】
【００１４】
【図１】本発明の第１の実施形態に係る釣用竿受け装置を保冷箱に取り付けた状態を示す概略斜視図である。
【図２】図１の釣用竿受け装置の斜視図である。
【図３】釣竿を支持した状態の図１の釣用竿受け装置の側面図であり、回動規制手段および竿受け部の作動状態を示している。
【図４】釣竿を支持した状態の第２の実施形態に係る釣用竿受け装置の側面図であり、回動規制手段および竿受け部の作動状態を示している。
【図５】釣竿を支持した状態の第３の実施形態に係る釣用竿受け装置の側面図であり、回動規制手段および竿受け部の作動状態を示している。
【図６】（ａ）は従来の竿受け装置を保冷箱に取り付けた状態を示す概略側面図、（ｂ）は（ａ）の正面図である。
【発明を実施するための形態】
【００１５】
以下、添付図面を参照して、本発明に係る釣用竿受け装置の実施形態について説明する。  
図１〜図３は本発明の第１の実施形態を示している。図１には、本実施形態に係る釣用竿受け装置１が他の竿受け６０と共に保冷箱５０の外壁面に取り付けられた状態で示されている。この図において、釣用竿受け装置１は、竿受け６０と協働して釣竿２０を支持するが、竿受け６０が釣用竿受け装置１に取って代えられてもよい（すなわち、両方とも釣用竿受け装置１であってもよい。その場合には、図１中の左側の釣用竿受け装置１が図１中の右側の釣用竿受け装置１に対して上下逆に取り付けられる）。
【００１６】
図１に示される釣用竿受け装置１および竿受け６０の取り付け状態では、前側（図１の右側）の釣用竿受け装置１の後述する上側に折れ曲がるＬ字型の竿受け部６（図２参照）によって釣竿２０の手元側の基部２０ａの下面が下側から受け止められる（釣竿２０の基部２０ａの前部が前側の釣用竿受け装置１の竿受け部６に載置される）とともに、後側（図１の左側）の竿受け６０（一般に、前側の釣用竿受け装置１よりも下側に取り付けられる）の下側に折れ曲がるフック状の受け部６０ａによって釣竿２０の基部２０ａの上面が上側から支持される（釣竿２０の基部２０ａの後部が後側の竿受け６０の受け部６０ａに掛止される）ことにより、保冷箱５０をアンカーとして利用して釣竿２０がオーバーハング状態で支持される。
【００１７】
図２および図３には釣用竿受け装置１の構造が明確に示されている。図示のように、釣用竿受け装置１は、保冷箱５０の外壁面に着脱可能に取り付けられるカップ状の吸着盤から成る取り付け部８と、釣竿２０の基部２０ａを受けて支持するための竿受け部６と、取り付け部８と竿受け部６とを連結する連結部２とを備える。
【００１８】
取り付け部８は、公知の吸着盤と同様に保冷箱５０の外壁面に押し付けられて弾性変形することにより内側空間に形成される負圧で保冷箱５０の外壁面に吸着されるものであり、カップ形状の頂部付近に軸方向に延びる軸部８ａを有する。この軸部８ａには、取り付け部８を外側から全体的に覆うカップ状の保持部１０が軸部８ａに沿って進退可能に取り付けられるとともに、連結部２が回動自在に支持されている。そして、連結部２は、軸部８ａに沿う水平位置（図３に二点鎖線で示される位置）と軸部８ａに対して略垂直な押し付け位置（図３に実線で示される位置）との間で支軸１６を中心に回動できるとともに、水平位置では保持部１０との間に隙間ｓを形成して保持部１０の軸部８ａに沿う進退を許容することにより保冷箱５０の外壁面からの取り付け部８の取り外しを可能にし、一方、前記押し付け位置では保持部１０を取り付け部８に対して押し付けることにより保冷箱５０の外壁面に対する取り付け部８の取り付け状態（吸着状態）を保持する。また、この押し付け位置において、保持部１０は、連結部２を保冷箱５０の外壁面と略平行に保持する（図１参照）と同時に、連結部２と協働して保冷箱５０の外壁面に対する取り付け部の取り付け状態を保持する。
【００１９】
また、本実施形態において、Ｌ字型の竿受け部６は、釣竿２０の基部２０ａを支持するための（基部２０ａが載置される）支持面６ａを有する本体部と、支持面６ａ上に支持される釣竿２０（基部２０ａ）を側方から支持して支持面６ａからの釣竿２０（基部２０ａ）の脱落を防止する側方支持部６ｂとから成る。また、竿受け部６は、連結部２に対して支軸１２を中心に回動可能に取り付けられており、釣竿２０（基部２０ａ）を竿受け部６から側方に解放できる解放位置（図３に破線で示される位置）と後述する回動規制手段によりその回動が規制される竿受け位置（図３に実線で示される位置）との間で少なくとも回動できるようになっている。
【００２０】
前記竿受け位置で竿受け部６の回動を規制する前記回動規制手段は、本実施形態では、連結部２に回動可能に取り付けられるレバー部材４として構成される。具体的に、このレバー部材４は、支持面６ａと対向するように斜め上方に延びて支持面６ａ上に支持される釣竿２０（基部２０ａ）と当接可能な作動部４ａと、その先端の作用面９が竿受け部６の本体部の支持面６ａの端部と当接することにより竿受け部６の回動を規制できる回動規制部４ｂとによって略Ｌ字状に形成される。そして、レバー部材４は、回動規制部４ｂの作用面９が支持面６ａと当接して竿受け部６を竿受け位置に保持する（竿受け部６の回動を規制する）回動規制位置（図３に実線で示される位置）と回動規制部４ｂの作用面９が支持面６ａから離脱して竿受け部６の解放位置への回動を許容する回動許容位置（図３に破線で示される位置）との間で支軸１４を中心に回動することができる。
【００２１】
したがって、上記構成によれば、レバー部材４を回動規制位置に位置させるとともに竿受け部６を竿受け位置に位置させて、回動規制部４ｂの作用面９を支持面６ａに当接させた状態、すなわち、竿受け部６が竿受け位置に保持されてその回動が規制された状態では、図３に実線で示されるように、竿受け部６の支持面６ａ上で釣竿２０（基部２０ａ）を支持することができる。この場合、釣竿２０の重量によって回動規制部４ｂの作用面９と支持面６ａとの当接状態が維持される。そして、魚が掛かったなどして釣竿２０を釣用竿受け装置１から取り外す場合には、竿受け部６で支持される釣竿２０（基部２０ａ）を連結部２側へ向けて側方（水平方向）にスライドさせてレバー部材４の作動部４ａに当て付けると、レバー部材４が支軸１４を中心に反時計方向に（上方に）回動して、回動規制部４ｂの作用面９と支持面６ａとの当接状態が解除される。したがって、それにより竿受け位置にある竿受け部６の回動規制が解除され、竿受け部６はその解放位置へ向けて時計方向へ回動できて大きく開放し、その結果、釣竿２０を連結部２から離間させるように側方（水平方向）に引き出せば、釣竿２０を釣用竿受け装置１から簡単に取り外すことができる。
【００２２】
以上説明したように、本実施形態によれば、釣竿２０を受けて支持するための竿受け部６が、釣竿２０を竿受け部６から側方に解放できる解放位置と回動規制手段であるレバー部材４によりその回動が規制される竿受け位置との間で少なくとも回動できるため、竿受け位置で釣竿２０を保冷箱５０に対して確実に支持させることができるとともに、支持した釣竿２０に負荷が掛かった状態であっても釣竿２０を側方へ移動して竿受け部６を解放位置に回動させることにより、釣竿２０を竿受け部６から容易に取り外すことができる。
【００２３】
また、本実施形態によれば、竿受け部６で支持される釣竿２０を側方へ移動させるという簡単な動作で、レバー部材４による竿受け部６の回動規制を解除して、竿受け部６を解放位置へと回動させることができる。したがって、竿受け部６からの釣竿２０の取り外し操作を更に容易ならしめることができる。
【００２４】
また、本実施形態の釣用竿受け装置１は、連結部２を保冷箱５０の外壁面と略平行に保持すると同時に保冷箱５０の外壁面に対する取り付け部６の取り付け状態を保持する保持部１０を更に備えている。連結部２と取り付け部８とを同時に安定した姿勢で保持できるこの保持部１０の保持機能により、保冷箱５０に対して釣竿２０をガタ付かせることなく確実且つ安定して支持することができる。
【００２５】
図４は本発明の第２の実施形態を示している。図示のように、本実施形態は竿受け位置で竿受け部６の回動を規制する前記回動規制手段の形態のみが第１の実施形態と異なる。すなわち、本実施形態の回動規制手段は、バネ２１によって側方支持部６ｂ側へ付勢されたプッシュロッド２２として構成されており、支持面６ａ上に支持される釣竿２０と当接可能な作動部２２ａと、連結部２の貫通孔２ａに挿通される軸部２２ｃと、その先端の作用面２３が竿受け部６の本体部の支持面６ａの端部と当接することにより竿受け部６の回動を規制できる回動規制部２２ｂとから成る。
【００２６】
したがって、この構成では、竿受け部６で支持される釣竿２０（基部２０ａ）を連結部２側へ向けて側方（水平方向）にスライドさせて、釣竿２０をプッシュロッド２２の作動部２２ａに当て付けると、プッシュロッド２２がバネ２１の付勢力に抗して水平にスライドし、それにより、回動規制部２２ｂの作用面２３と支持面６ａとの当接状態が解除される。したがって、それにより竿受け位置にある竿受け部６の回動規制が解除され、竿受け部６はその解放位置へ向けて回動でき、その結果、釣竿２０を連結部２から離間させるように側方（水平方向）に引き出せば、釣竿２０を釣用竿受け装置１から簡単に取り外すことができる。
【００２７】
図５は本発明の第３の実施形態を示している。図示のように、本実施形態は竿受け位置で竿受け部６の回動を規制する前記回動規制手段の形態のみが第１の実施形態と異なる。すなわち、本実施形態の回動規制手段は、連結部２と竿受け部６の本体部との間に介挿されて支軸２９を中心に回動することにより竿受け部６の回動状態を制御するレバー体３０として構成される。具体的には、レバー体３０は、支持面６ａから上方へ立ち上がるように延びて支持面６ａ上に支持される釣竿２０（基部２０ａ）と当接可能な作動部３０ａと、作動部３０ａに対して略垂直に延び且つその先端の係止端３３が竿受け部６の係止溝３３に係脱可能に係止することにより竿受け部６の回動を規制できる回動規制部３０ｂとによって略Ｔ字状に形成される。
【００２８】
したがって、この構成では、竿受け部６で支持される釣竿２０（基部２０ａ）を連結部２側へ向けて側方（水平方向）にスライドさせて、釣竿２０をレバー体３０の作動部３０ａに当て付けると、レバー体３０が支軸２９を中心に回動し、それにより、回動規制部３０ｂの係止端３３と竿受け部６の係止溝３３との係止状態が解除される。したがって、それにより竿受け位置にある竿受け部６の回動規制が解除され、竿受け部６はその解放位置へ向けて回動でき、その結果、釣竿２０を連結部２から離間させるように側方（水平方向）に引き出せば、釣竿２０を釣用竿受け装置１から簡単に取り外すことができる。
【符号の説明】
【００２９】
１  釣用竿受け装置
２  連結部
４  レバー部材（回動規制手段）
６  竿受け部
８  取り付け部
１０  保持部
２２  プッシュロッド（回動規制手段）
３０  レバー体（回動規制手段）
【図１】
2012135275.tif 000003
【図２】
2012135275.tif 000004
【図３】
2012135275.tif 000005
【図４】
2012135275.tif 000006
【図５】
2012135275.tif 000007
【図６】
2012135275.tif 000008